(57)【要約】【課題】  組み立て作業やメンテナンス作業を容易に行える整流機構を提供する。【解決手段】  ベース体とカバー体の間に配設されて複数の球通路を形成する通路形成部材５２と、球通路に臨んで回転可能に設けられた複数の球受け回転体２２２とを備えた整流機構において、通路形成部材５２に設けられて球受け回転体の回転軸をなす支軸部２２３と、この支軸部の内周側に形成された係止軸挿通孔と、支軸部２２３と嵌脱可能なボス部を有する球受け回転体２２２と、ボス部を支軸部に嵌着したときに球受け回転体を軸廻りに回転可能に支持するとともに軸直交の脱落方向に移動することを規制する仮止め構造２２３ｓとを設け、球受け回転体２２２が仮止めされた通路形成部材５２をカバー体係止軸２２５に係合させて取り付けることで、通路形成部材と複数の球受け回転体とが一体的にベース体に組み付けられるように整流機構を構成する。【選択図】  図１４
2005168616.tif 000002
【特許請求の範囲】
【請求項１】
球通路の基板となるベース体と、前記ベース体を覆って設けられたカバー体と、前記ベース体と前記カバー体との間に設けられて遊技球が流下する複数列の球通路を区画形成する球通路形成部材と、前記複数列の球通路に臨んで配設され各球通路を流下する遊技球の圧力により回転可能に設けられた複数の球受け回転体とを備えた弾球遊技機用の整流機構において、
前記球通路形成部材に形成され外周面において各球受け回転体の回転軸をなす支軸部と、
前記支軸部の内周側に前記支軸部を貫通して形成され前記ベース体に設けられたカバー体係止軸を挿通させる係止軸挿通孔と、
前記支軸部と嵌脱可能に前記各球受け回転体に形成されたボス部と、
前記ボス部を前記支軸部に嵌着したときに、前記各球受け回転体を前記支軸部の軸廻りに回転可能に支持するとともに、前記各球受け回転体が軸直交の脱落方向に移動することを規制する仮止め構造とを有し、
前記仮止め構造により前記各球受け回転体が仮止めされた前記球通路形成部材を、前記係止軸挿通孔を前記カバー体係止軸に係合させて取り付けることにより、前記球通路形成部材と前記複数の球受け回転体とが一体的に前記ベース体に組み付けられるように構成したことを特徴とする弾球遊技機用の整流機構。
【発明の詳細な説明】
【技術分野】
【０００１】
本発明は、遊技球が流下する球通路に設けられる整流機構に関し、さらに詳細には、球通路を流下する遊技球の圧力により回転する複数の球受け回転体を備えた弾球遊技機用の整流機構に関する。
【背景技術】
【０００２】
従来から、遊技球を遊技媒体とするパチンコ機等の弾球遊技機では、遊技機各部に遊技球を流下させる球通路が形成されている。これらの球通路には、例えば上下に積み重なった遊技球を平滑化し、あるいは粗密ばらつきのある整列状態を一定の間隔に調整して流下させるなど、遊技球の流下状態を整える整流機構が設けられている。このような整流機構のひとつとして、いわゆる回転爪車式の整流機構が知られている。回転爪車式の整流機構は、外周に所定角度ピッチで爪が形成された球受け回転体（爪車）を球通路に臨んで回転可能に配設し、球通路を流下する遊技球の流れを利用して球受け回転体を回転させることで、回転移動する爪により遊技球を受け入れて順次１個ずつ下流側に送り出すように構成されている（例えば、特許文献１を参照）。
【０００３】
ここで、弾球遊技機における球通路は、例えば裏セット盤の基枠体のように球通路の基板となるベース体と、タンクレールやＳ字レールのようにベース体に取り付けられる球通路形成部材と、タンクレールの後方壁面やＳ字レールの蓋部材のように球通路形成部材を覆って設けられるカバー体とにより形成されている。そして、回転爪車式の整流機構は、ベース体とカバー体とに両端が挟持された回転軸と、この回転軸に遊貫された球受け回転体とから構成されている。
【特許文献１】特開平５−２４５２５７号公報
【発明の開示】
【発明が解決しようとする課題】
【０００４】
しかしながら、上記のような従来の回転爪車式の整流機構では、上記のように個々単体で形成された球通路の各構成部材、および整流機構の各構成部材を、逐次ベース体に取り付けて組み上げてゆく形態となっていた。このため、細かな部材である回転軸や球受け回転体の取り付け作業は手間のかかる作業であるとともに、メンテナンス等でカバー体を取り外したときに球受け回転体や回転軸が脱落してしまうこともあり、遊技球を円滑に流下させるという極めて重要な装置であるにも拘わらず点検作業が行いにくいという問題も生じていた。
【０００５】
本発明は上記のような事情に鑑みて成されたものであり、組み立て作業やメンテナンス作業を容易に行える弾球遊技機用の整流機構を提供することを目的とする。
【課題を解決するための手段】
【０００６】
上記目的達成のため、本発明は、球通路の基板となるベース体（例えば、実施形態における基枠体３１）と、ベース体を覆って設けられたカバー体（例えば、実施形態における蓋部材５８やタンクレール４２における後方壁面等）と、ベース体とカバー体との間に設けられて遊技球が流下する複数列の球通路を区画形成する球通路形成部材（例えば、実施形態におけるＳ字レール５２やタンクレール４２等）と、複数列の球通路に臨んで配設され各球通路を流下する遊技球の圧力により回転可能に設けられた複数の球受け回転体とを備えた弾球遊技機用の整流機構に関するものである。そのうえで、球通路形成部材に形成され外周面において各球受け回転体の回転軸をなす支軸部（例えば、実施形態における枢支軸２２３）と、支軸部の内周側に支軸部を貫通して形成されベース体に設けられたカバー体係止軸を挿通させる係止軸挿通孔と、支軸部と嵌脱可能に各球受け回転体に形成されたボス部と、ボス部を支軸部に嵌着したときに各球受け回転体を支軸部の軸廻りに回転可能に支持するとともに各球受け回転体が軸直交の脱落方向に移動することを規制する仮止め構造（例えば、実施形態における係止爪２２３ｓ）とを有し、仮止め構造により各球受け回転体が仮止めされた状態の球通路形成部材を、係止軸挿通孔をカバー体係止軸に係合させて取り付けることにより、球通路形成部材と複数の球受け回転体とが一体的にベース体に組み付けられるように整流機構を構成する。
【発明の効果】
【０００７】
この弾球遊技機用の整流機構では、球通路形成部材に球受け回転体の回転軸をなす支軸部が形成され、この支軸部に球受け回転体のボス部を嵌着したときに各球受け回転体が軸廻りに回転可能に支持されるとともに、仮止め構造により軸直交の脱落方向への移動が規制される。そしてこのようにして複数の球受け回転体が仮止めされた球通路形成部材をベース体に取り付けることにより、球通路形成部材と複数の球受け回転体とが一体的にベース体に組み付けられる。このため、各球通路に対して高い位置精度をもって球受け回転体を配設することができ安定した整流機能を確保することができるとともに、複数の球受け回転体を極めて簡単に取り付けることができ、組み付け作業の容易化および効率化を図ることができる。またメンテナンス等でカバー体を取り外した場合でも仮止め機構により球受け回転体が脱落してしまうようなことがなく、メンテナンスの作業性をも向上させた整流機構を提供することができる。
【０００８】
さらに、本発明の整流機構では、支軸部の内周側にカバー体係止軸を挿通させる係止軸挿通孔が形成されており、係止軸挿通孔をカバー体係止軸に係合させて取り付けることにより、複数の球受け回転体が仮止めされた球通路形成部材が一体的に位置決めされてベース体に取り付けられる。従って、作業性が良好であり、かつ球通路および球受け回転体がベース体やカバー体とも高い相対位置精度をもって配設されるため、より安定した整流機能を確保した整流機構を提供することができる。
【発明を実施するための最良の形態】
【０００９】
以下、本発明を実施するための形態について添付図面を参照しながら説明する。本発明を適用した弾球遊技機の一例として、図１および図２にパチンコ機の正面図および背面図を示しており、まず、これら両図を参照してパチンコ機ＰＭの全体構成について要約説明する。
【００１０】
パチンコ機ＰＭは、外郭方形枠サイズに構成されて縦向きの固定保持枠をなす外枠１の開口前面に、これに合わせた方形枠サイズに構成された開閉搭載用の前枠２が互いの正面左側上下に配設されたヒンジ機構３により前方に横開き開閉および着脱が可能に取り付けられ、正面右側に設けられた施錠装置４を利用して常には外枠１と係合連結された閉止状態に保持される。
【００１１】
前枠２の表側（前面側）上部には、ガラス扉５が前方に横開き開閉および着脱可能に取り付けられ、正面右側に設けられた施錠装置４を利用して常には前枠２の前面を覆う閉止状態に保持される。ガラス扉５の背後に位置する前枠上部には、遊技盤２０を着脱可能に収容する収容枠が設けられており、この収容枠に立設姿勢で係止保持された遊技盤２０がガラス扉５を通して視認されるようになっている。
【００１２】
遊技盤２０は、所定板厚の積層合板の表面にセルを貼り付けてルーター加工した化粧板２１を基板とし、前面側に内外の案内レール２２が円弧状に固設されて略円形の遊技領域ＰＡが区画形成される。遊技領域ＰＡには、多数本の遊技釘とともに風車や各種の入賞具２３，２４，２５、遊技の展開状況に応じた図柄を表示させる図柄表示装置２７、左右のサイドランプなどの遊技構成部品が取り付けられ、遊技領域ＰＡの下端部にアウト口２８が形成されている。化粧板２１の裏面側には中央部に図柄表示装置２７の作動を制御する図柄表示制御装置８７が取り付けられ、その周囲には各入賞具に落入して化粧板２１の裏面側に導かれたセーフ球、およびアウト口２８を通って化粧板２１の裏面側に導かれたアウト球（これらをまとめて「遊技済み球」という）を、化粧板２１の背面に沿って裏セット盤３０の遊技済み球排出通路に導く球寄せカバー２９が取り付けられている。
【００１３】
前枠２の表側中間部には、遊技補助盤と称される補助機構部が設けられるとともに、その前方に上球皿６が前方に横開き開閉および着脱可能に取り付けられ、正面右側に設けられた球皿施錠装置を利用して常には遊技補助盤の前面を覆う閉止状態に保持される。上球皿６の下側には、下球皿７が前方に突出して取り付けられその右側に遊技球の発射操作を行う発射ハンドル８が取り付けられている。前枠２の裏面下部には遊技球発射装置９が取り付けられており、遊技補助盤には遊技球発射装置９のハンマーに叩打された遊技球をガイドして外レールに向けて発射させる発射レール、遊技の展開状況に応じた効果音を発生させるスピーカなどが設けられている。
【００１４】
一方、前枠２の裏側（後面側）には、裏セット盤３０が前枠２の後方に横開き開閉および着脱可能に取り付けられ、常には遊技盤２０の裏面を覆う閉止状態に保持されている。裏セット盤３０は、中央部に遊技盤の図柄表示制御装置８７を受容する窓口３２を有して外枠１の内寸サイズよりも幾分小さめの方形枠状に形成された基枠体３１をベースとして構成される。
【００１５】
基枠体３１は、表裏に遊技済み球排出通路や球払出制御機構の球通路、球抜き通路等が立体的に形成された前後二層構造になっており、基枠体３１を前後に仕切る支持面の前面側に主として遊技盤２０の裏面側に排出された遊技済み球を集合させて遊技島の回収装置に導く遊技済み回収通路および球抜き通路が、支持面の後面側に主として遊技球を払い出す球払出制御機構が形成されている。
【００１６】
また基枠体３１の背面各部には、パチンコ機ＰＭの作動を統括的に制御する主制御装置８１や、遊技球の払い出し作動を制御する球払出制御装置８２、効果照明や効果音の作動制御を行うランプ・音声制御装置８３、各制御装置や電子部品に電力を供給する電源ユニット８４、遊技施設側と信号や電力の入出力を行うターミナル基板８５等の各種制御装置や回路基板、球払出装置５３等の電子部品が取り付けられ、これらが図示しないコネクタケーブルで接続されてパチンコ機ＰＭが作動可能に構成される。
【００１７】
パチンコ機ＰＭは、上球皿６およびガラス扉５が閉止施錠された状態で遊技に供され、上球皿６に遊技球を貯留させて発射ハンドル８を回動操作することにより遊技が開始される。発射ハンドル８が回動操作されると、上球皿６に貯留された遊技球が上球皿の背面に装着された球送り装置によって１球ずつ発射レールに送り出され、遊技球発射装置９のハンマーに打ち出されて遊技領域ＰＡに発射され、以降パチンコゲームが展開される。
【００１８】
さて、このように概要構成されるパチンコ機ＰＭにあって、遊技領域ＰＡに発射された遊技球が各入賞具に落入したときの遊技球の払い出し処理について、関連する各部の構成をもう少し詳しく説明する。遊技盤に設けられる入賞具には、その外観意匠や入賞時の動作を含めて種々の形態のものがあり、ゲージ設定に応じてどのような形態の入賞具を用いるものであってもよいが、例えば図１に例示した遊技盤２０では、一般入賞具２３、始動入賞具２４、アタッカー装置２５の３種類の入賞具を設けた例を示している。
【００１９】
一般入賞具２３は、遊技球が落入可能な入賞口を有する固定入賞具であり、入賞口の内部に遊技球を検出する入賞検出センサ２３ｓが取り付けられている。一般入賞具２３の後部には落入したセーフ球を化粧板２１の裏面側に導くセーフ球誘導路が設けられており、一般入賞具２３に落入したセーフ球は入賞検出センサ２３ｓに検出され、セーフ球誘導路および球寄せカバー２９を通って基枠体３１前面側の遊技済み球排出通路に受け止められ、この球排出通路を流下して遊技島の回収装置に排出される。
【００２０】
始動入賞具２４は、いわゆる電動チューリップ型の可動入賞具であり、左右のチューリップ羽根を開閉させて入賞口を拡大・縮小変化させることができる。始動入賞具２４の後部には入賞したセーフ球を化粧板２１の裏面側に導くセーフ球誘導路が設けられるとともに、この誘導路を流下する遊技球を検出する入賞検出センサ２４ｓが取り付けられており、始動入賞具２４に入賞したセーフ球が入賞球検出センサ２４ｓに検出され、セーフ球誘導路、球寄せカバー２９、遊技済み球排出通路を流下して遊技島の回収装置に排出される。
【００２１】
アタッカー装置２５は、いわゆるアタッカー型の可動入賞具であり、横長方形状の大入賞口を覆う開閉扉が開閉可能に取り付けられている。開閉扉は通常閉止されており、遊技中における所定の入賞条件の下で特別遊技状態が成立したときに、開閉扉の上部が前方にほぼ９０度倒されて大入賞口が開放される。大入賞口の内部には左右二つの領域開口が設けられて各々に入賞検出センサ２５ｓ，２５ｔが設けられるとともに、アタッカー装置２５の後側に上記二つの領域開口に繋がって化粧板２１を貫通する二つのセーフ球誘導路が設けられており、大入賞口に落入したセーフ球はいずれかの領域開口を通って入賞検出センサ２５ｓ，２５ｔに検出され、セーフ球誘導路、球寄せカバー２９、遊技済み球排出通路を流下して遊技島の回収装置に排出される。
【００２２】
入賞検出センサ２３ｓ，２４ｓ，２５ｓ，２５ｔの検出信号は主制御装置８１に出力されており、主制御装置８１は入力された検出信号に基づいてパチンコ機ＰＭの作動を制御する。例えば、始動入賞口２４に遊技球が落入し入賞検出センサ２４ｓから入賞検出信号が出力されると、主制御装置８１は入力信号から、遊技球が入賞具に落入したこと、および入賞した入賞具が始動入賞口２４であることを検知し、この入賞条件に応じた遊技プログラムを呼び出して実行する。具体的には、主制御装置内で図柄の組み合わせ抽選を行うとともに、図柄表示制御装置８７に抽選結果を出力して図柄表示装置２７に表示される図柄を変動および停止制御させ、停止図柄の組み合わせに応じた作動、例えばランプ・音声制御装置８３を介してサイドランプの点滅表示やスピーカによる効果音の発生等を行わせる。また球払出制御装置８２に入賞条件に応じた払出指令信号を出力して球払出装置５３を作動させ遊技球の払い出し作動を行わせる。
【００２３】
一方、常には遊技盤２０の背後に位置して閉止保持される裏セット盤３０に、遊技球の払い出し作動を行う球払出制御機構が設けられている。球払出制御機構を含む裏セット盤の右枠杆（基枠体３１における窓口右側の枠杆部）３３部分の背面図を図３に示す。なお、遊技球の払い出しに関する主要機構部は、前後二層構造を有する基枠体３１の裏面側に設けられており、背面図を主として参照しながら説明するため、以降では図２および図３に示す背面図における左右方向を左方または右方と称し、紙面直交方向の向こう側（パチンコ機前面側）を前方、手前側（同裏面側）を後方と称して説明する。また遊技球を球払出装置５３に導く案内通路等の基本構成および作動は、背景技術の項で参照した図１９に示す構成および作動と略同様であるため、これらの図面を併せて参照しながら説明する。
【００２４】
球払出制御機構は、基枠体３１の左上部に取り付けられて遊技球を貯留する球貯留タンク４１、基枠体３１における右枠杆３３の下部に取り付けられて遊技球の払出を行う球払出装置５３、球貯留タンク４１と球払出装置５３との間を結んで設けられ球貯留タンク４１に貯留された遊技球を整列させて球払出装置５３に導く案内通路、球払出装置５３の下方に設けられて球払出装置から払い出された遊技球を上下の球皿６，７に導く球払出通路６０、基枠体３１の背面下部に取り付けられて球払出装置５３の作動を制御する球払出制御装置８２、および案内通路に設けられてこの球通路を流下する遊技球を整流し、また払出作動の起動時に球払出装置５３に作用する遊技球の圧力を軽減させる受圧制御ユニット１００などから構成される。
【００２５】
球貯留タンク４１は、上面開放の箱状体をなし、タンク内部に500〜800個程度の遊技球を貯留可能になっている。球貯留タンク４１の底面は緩く左傾および前傾して形成され左前方には上下連通する開口部が形成されて下方の案内通路に繋がっている。案内通路は、球貯留タンク４１から供給された遊技球を流下させる過程で整列させる整列通路、整列通路で整列された遊技球を受けて下方の球払出装置５３に導く待機通路とからなり、整列通路は球貯留タンクの直下に取り付けられたタンクレール４２内に、待機通路は右枠杆３３に取り付けられたＳ字レール５２の前後に形成される。
【００２６】
タンクレール４２は、窓口３２上方の基枠体３１にねじ止めされた取付姿勢において前後の壁面に囲まれた樋状体をなし、底面には右方に向けて高さが高くなるリブ状の仕切壁が立設されて樋内に前後二列の整列通路４２ａ，４２ｂが形成される。タンクレール４２は左上方の球貯留タンク４１側から右下方の待機通路側に向けて約４度の傾斜角で取り付けられるとともに、通路中間部には上下方向に積み重なった遊技球を平らに均す球均し具４４が垂設されており、球貯留タンク４１から供給された遊技球が傾斜下流に向けて流下する過程で整列され、右枠杆３３の上部では前後二列の整列通路４２ａ，４２ｂに整列された状態て待機通路側に流下される。タンクレール４２の傾斜端部すなわち整列通路４２ａ，４２ｂの終端部は下方に滑らかに折り曲げられ、下端に開口する偏向出口で待機通路と繋がっている。
【００２７】
右枠杆３３には、偏向出口から送り出された遊技球を受けて待機通路５２ａ，５２ｂに整列状態で待機させるＳ字レール５２と、このＳ字レール５２の下側に取り付けられて待機通路に待機された遊技球を所定の払出条件に基づいて払い出す球払出装置５３、および右枠杆３３に支持されたＳ字レール５２の後方を覆って取り付けられＳ字レール５２の前後面に上記二列の待機通路を形成させる蓋部材５８などが取り付けられる。また、偏向出口とＳ字レール５２との間には、遊技球の払い出しを行い得る充分な遊技球が待機通路５２ａ，５２ｂに保持されているか否かを検出するための球有検出センサ５１が着脱可能に取り付けられ、球払出装置５３の払出口と球払出通路６０との間には、払い出された遊技球を検出してその実数を計数するための球計数センサ５４，５４が係脱可能に設けられている。
【００２８】
Ｓ字レール５２は、中間に形成された仕切壁５２ｗと、この仕切壁を挟む前後面に遊技球の球径よりも幾分大きめの間隔をおいて左右平行に立設された通路壁５２Ｌ，５２Ｒとを有し、仕切壁５２ｗの前後に通路壁５２Ｌ，５２Ｒで囲まれた凹状の通路溝が形成されている。前後の通路溝は図３に示すように屈曲して形成されており、上流側に位置する遊技球の自重による球圧が下流側で加重されて過大な圧力にならないようになっている。Ｓ字レール５２は通路溝の清掃容易化等のため基枠体３１と別体に構成されており、右枠杆３３に立設された支持ボス３５に嵌挿して支持させ、後方から蓋部材５８をねじ固定することにより右枠杆３３に固定される。
【００２９】
Ｓ字レール５２が右枠杆３３に固定されると、前後の通路溝の開放部が前方の右枠杆３３の支持面と後方の蓋部材５８とに覆われて前後二列の待機通路５２ａ，５２ｂが形成される。Ｓ字レール５２における上方の通路壁の一部は切り欠かれており、常にはこの切り欠き部に相当する通路壁５５ａが形成された流路切り替え部材５５により閉鎖されている。Ｓ字レール５２の下端部は球払出装置５３の受容口と位置整合して形成され、偏向出口から導入された遊技球を前後二列の整列状態で球払出装置５３に導くとともに、球払出装置の停止時に遊技球を待機通路５２ａ，５２ｂに整列状態で待機させる。
【００３０】
球払出装置５３は、上部中央の前後に待機通路５２ａ，５２ｂと連絡して遊技球を受容する受容口５３ａ，５３ｂ、下部の左右に遊技球を払い出す払出口５３ｃ，５３ｄが形成されるとともに、ケース内部には前後二段のインペラを有する球送り回転体５３ｒと、球送り回転体５３ｒを回転させる球払出モータ５３ｍとが設けられている（図１９を参照）。球送り回転体５３ｒの前列側のインペラ５３ｒ１および後列側のインペラ５３ｒ２には、それぞれ遊技球を受容するＵ溝状の受容部が１２０度間隔で三カ所設けられるとともに、前後のインペラはそれぞれ受容部の角度位置が６０度オフセットして形成されている。このため、受容口５３ａ，５３ｂから供給された遊技球は、球送り回転体５３ｒの回動に伴って前後のインペラ５３ｒ１，５３ｒ２の受容部に交互に受け入れられ、受容部の回動により右または左のカセット内通路に１個ずつ移動され左右いずれかの払出口５３ｃ，５３ｄから球払出通路６０に払い出される。
【００３１】
球払出制御装置８２には、主制御装置８１から遊技盤２０における入賞条件に応じた払出指令信号が入力されており、球払出制御装置８２は主制御装置８１から入力された払出指令信号に応じたモータ駆動信号を球払出装置５３に出力し、球払出装置５３は入力されたモータ駆動信号に基づいて球払出モータ５３ｍを作動させ、球送り回転体５３ｒを時計廻りまたは反時計廻りに所要の回転角度分だけ回転させて、モータ駆動信号に対応する数量の遊技球を右または左の払出口５３ｄ，５３ｃから球払出通路６０に払い出す。
【００３２】
また、プリペイドカードユニット９０が接続されたいわゆるＣＲ機では、上球皿６の前面側に球貸要求ボタンを有するＣＲ操作パネル９２が設けられてその出力信号が球払出制御装置８２に入力されており、球払出制御装置８２は、ＣＲ操作パネル９２から入力された球貸要求信号に応じたモータ駆動信号を球払出装置５３に出力し、球払出装置５３は入力されたモータ駆動信号に基づいて球払出モータ５３ｍを作動させ、球送り回転体５３ｒを反時計廻りまたは時計廻りに所要の回転角度分だけ回転させ、モータ駆動信号に対応する数量の遊技球を左または右の払出口５３ｃ，５３ｄから球払出通路６０に払い出す。
【００３３】
球払出口５３ｃ，５３ｄから払い出された遊技球は、球計数センサ５４，５４により通過が検出され、球払出制御装置８２は球計数センサから入力された検出信号から払い出された遊技球の数量をカウントしてモータ駆動信号に係る目標数量と比較し、球払出装置５３の作動を制御する。これにより、主制御装置８１から入力される払出指令信号やＣＲ操作パネル９２から入力される球貸要求信号に応じた数量の遊技球が球払出通路６０に払い出され、球払出通路６０を転動流下して上球皿６または下球皿７に払い出される。
【００３４】
なお、待機通路５２ａ，５２ｂの上部に設けられた球有検出センサ５１は、この球有検出センサが配設された上部位置まで遊技球が整列待機されているか否かを検出することで、遊技球の払い出しを不足なく行い得る数量（例えば３５球程度）の遊技球が保持されているか否かを判定するためのセンサであり、その検出信号が球払出制御装置８２に出力されている。球払出制御装置８２は球有検出センサ５１から入力された検出信号が球無し状態であるときに、球払出装置５３の作動を規制し所定のアラームを発生させる。
【００３５】
また、整列通路４２ａ，４２ｂの下流部に上部球止め機構が設けられ、待機通路５２ａ，５２ｂの上流部に上部球抜き機構が設けられている。上部球止め機構は、偏向出口の上方に位置して基枠体３１の支持面と平行な面内に揺動可能に枢支された球止め部材４５からなる。球止め部材４５には、前後の整列通路４２ａ，４２ｂの配設位置に合わせて鉤状のフック部が形成されており、球止め部材４５を反時計廻りに揺動させて前後のフック部を整列通路４２ａ，４２ｂに突出させることで遊技球を堰き止め、フック部よりも上流側に位置する遊技球の流下を規制できるようになっている。
【００３６】
上部球抜き機構は、右枠杆３３の裏面側に右枠杆の支持面と平行な面内に揺動可能に枢支された流路切り替え部材５５と、右枠杆３３の前面側に右枠杆の支持面と直交方向に揺動可能に取り付けられた操作部材５６、および待機通路を開放したときに溢れ出る遊技球を遊技島の回収装置に導く球抜き通路５７などから構成される。
【００３７】
流路切り替え部材５５の下部には、Ｓ字レール５２の切り欠き部に相当する壁面形状を有する通路壁５５ａが形成され、中間部に形成された支軸孔で右枠杆３３の支持ボスに揺動自在に枢支されている。また球抜き通路５７は、Ｓ字レール５２の右側方に位置して右枠杆３３の裏面側に形成された予備通路５７ａ、予備通路５７ａの下方に右枠杆３３の支持面を貫通して形成された連絡開口５７ｂ、および右枠杆３３の前面側に連絡開口５７ｂから下方に向かって形成された下降通路５７ｃなどからなる。下降通路５７ｃの前方は基枠体３１の前面側に取り付けられた前カバー５７ｄで覆われており（図５等を参照）、右枠杆３３の下方で前述した遊技済み球排出通路に繋がっている。
【００３８】
流路切り替え部材５５は、操作部材５６の係合突起との係合により常にはＳ字レールの切り欠き部を塞ぐ閉止位置に保持されており、上流側から供給された遊技球が前後二列の待機通路５２ａ，５２ｂにより整列状態で球払出装置５３に導かれる。一方、操作部材５６の操作レバー部が後方に揺動操作されると、係合突起と流路切り替え部材との係合が解除されて流路切り替え部材５５が反時計廻りに揺動し、解放された切り欠き部から予備通路５７ａに溢れ出た遊技球が、連絡開口５７ｂから下降通路５７ｃおよび遊技済み球排出通路を介して遊技島の回収装置に流下される。
【００３９】
このため、上部球止め機構を利用して遊技球の流下を規制し、上部球抜き機構を利用して球抜き操作を行うことにより、球貯留タンク４１やタンクレール４２に貯留された遊技球を全量球抜きすることなく、球有り検出センサ５１の近傍に位置する遊技球のみを球抜きして、球有り検出センサ５１の保守点検や交換作業を行うことができるようになっている。
【００４０】
なお、前枠２およびガラス扉５には、裏セット盤３０を前枠２に閉鎖保持させた状態で操作部材５６の操作レバー部の前方に対峙する位置に、ハートキーと称される保守作業用の操作ピン（図４および図６に付記するハートキー１５５を参照）を挿通させる球抜き操作孔５ｈが形成されており、パチンコ機ＰＭの前面側から球抜き操作孔５ｈにハートキー１５５を挿入して操作レバー部を押圧操作することにより、パチンコ機の外部から球抜き操作および球抜き後の復帰操作を行えるようになっている。
【００４１】
さて、以上のように構成される払い出し機構における待機通路５２ａ，５２ｂ中間部に受圧制御ユニットが設けられ球払出制御機構が構成される。以下図４〜図１２の各図を併せて参照しながら受圧制御ユニット１００の構成および作用について詳細に説明する。なお、図４は受圧制御ユニット１００を右斜め後方から見た分解斜視図、図５は図３中のV−V矢視の平断面図、図６および図７はそれぞれ図３中のVI〜矢視およびVII〜矢視の側断面図、また図８は球払出制御機構の制御形態を主として示すブロック図、図９は球払出制御機構におけるソレノイドと球払出モータの駆動タイミングを示すタイミングチャート、図１０および図１１は受圧状態における遊技球の係止状況を示す背面図、図１２はハートキー１５５により球止め状態にしたときの受圧制御ユニット１００の背面図である。
【００４２】
受圧制御ユニット１００は、大別的には、Ｓ字レール５２に回動自在に取り付けられて、前後の待機通路５２ａ，５２ｂを流下する遊技球の圧力により各々回転可能に設けられた前後の球受け回転体１２２，１２２を主体とする整流機構１２０と、これらの球受け回転体１２２と係合して球受け回転体の回転を規制可能な回転規制部材１３０と、回転規制部材１３０を球受け回転体１２２に係合させる係合位置、および回転規制部材１３０と球受け回転体１２２との係合を解除させる解放位置に変移させる規制部材駆動機構１４０と、回転規制部材１３０を人為的に係合位置に係止して整流機構１２０を球止め状態にする球止め構造１５０などから構成される。
【００４３】
整流機構１２０は、前後の球受け回転体１２２，１２２と、Ｓ字レール５２に形成されてこれらの球受け回転体１２２，１２２の回転軸をなす枢支軸１２３、枢支軸１２３に支持された前後の球受け回転体１２２，１２２を枢支軸廻りに回転自在に支持するとともに各球受け回転体１２０が軸直交の脱落方向に移動することを係止する回転体係止軸１２５およびＥリング１２６などから構成される。
【００４４】
球受け回転体１２２は、遊技球の球径の半分程度の厚さを有する回転盤の外周部に、球半径より幾分大きめの受容半径を有する円弧状の球受け溝１２２ｕが、連接する遊技球の配設ピッチに合わせた所定角度ピッチで複数形成されるとともに、隣接する球受け溝１２２ｕ，１２２ｕの間に外周方向に突出する山形の受圧爪１２２ｔが形成された爪車形態に形成される。前後の球受け回転体は、基本的には同一形状のものが前後二列の待機通路５２ａ，５２ｂに対応して２個用いられる。球受け回転体１２２の中心部にはボス部が形成され、その中心にＳ字レール側の枢支軸１２３の軸径よりもわずかに大きめの内径を有する軸孔が前後貫通して形成されている。球受け回転体１２２は、例えば超高分子ポリエチレンやポリアセタール樹脂などの低摩擦係数の樹脂材料を用い、射出成型等の成形手段により各一体に形成される。
【００４５】
Ｓ字レール５２の屈曲部には、仕切壁５２ｗから前後に突出して枢支軸１２３が形成され、この枢支軸１２３を取り囲む右通路壁５２Ｒに、前後の受圧爪１２２ｔ，１２２ｔを待機通路５２ａ，５２ｂに臨ませる受圧爪挿通部１２４ａ，１２４ｂが形成されている。
【００４６】
枢支軸１２３は、球受け回転体１２２のボス部に形成された軸孔と嵌脱自在に係合して支持する中空円筒状をなし、その前後への突出高さは球受け回転体のボス部の厚さよりも幾分大きめに形成される一方、軸心には回転体係止軸１２５を挿通させて軸支する係止軸挿通孔が形成されている。受圧爪挿通部１２４ａ，１２４ｂは、球受け回転体の受圧爪１２２ｔの前後方向厚さおよび回転軌跡を基準として形成されており、前後の球受け回転体１２２，１２２を枢支軸１２３に支持させたときに受圧爪１２２ｔ，１２２ｔが待機通路５２ａ，５２ｂに突出して配設されるように形成されている。なお、前列側の受圧爪挿通部１２４ａの前方の右通路壁は右枠杆３３の支持面に、後列側の受圧爪挿通部１２４ｂの後方の右通路壁は蓋部材５８の前面側に形成されており、各受圧爪挿通部１２４ａ，１２４ｂは前後に開いた切り欠き状になっている。
【００４７】
整流機構１２０は、前後の球受け回転体１２２，１２２を、それぞれ仕切壁５２ｗの前方および後方から枢支軸１２３に軸孔を嵌合させて支持させるとともに、枢支軸１２３の係止軸挿通孔に回転体係止軸１２５を挿通して軸支させ、前後に突出した回転体係止軸１２５の前方および後方のリング溝にＥリング１２６を嵌着することでＳ字レール５２に一体的に取り付けられ、受圧爪１２２ｔ，１２２ｔがそれぞれ前後の待機通路５２ａ，５２ｂに突出し各々独立して回転自在に配設される。
【００４８】
枢支軸１２３の右斜め上方には、右通路壁５２Ｒから下方に突出して支軸フランジが形成され、この支軸フランジから前後に突出して中央支軸部１３３が形成されている。中央支軸部１３３は中空円筒状に形成されており、その軸心に揺動軸１３５を挿通させて軸支する揺動軸挿通孔が形成されている。
【００４９】
回転規制部材１３０は、この規制部材のベースとなる揺動体１３１、および揺動体１３１の下部に取り付けられて球受け回転体１２２と係脱する回転規制具１３２を主体として構成され、揺動軸１３５を利用してＳ字レールの中央支軸部１３３に揺動自在に取り付けられる。
【００５０】
揺動体１３１は、平板状の本体プレート部１３１ａ、本体プレート部１３１ａの上端部に前後に分けて形成された軸受部１３１ｊ、本体プレート部１３１ａの右面側に上部から中央部にかけてリブ状に立設されたカムプレート部１３１ｂ、本体プレート部の下部左面側に回転規制具１３２の形状寸法に合わせて形成された回転規制具装着部、本体プレート部１３１ａの下端部に突出成型された舌片状のキー係合片１３１ｋ、本体プレート部１３１ａから後方に延びて突出成型された軸状の操作摘み１３１ｍ、などからなり、ガラス繊維や炭素繊維を添加して強化したＡＢＳ樹脂やナイロン樹脂、ポリアセタール樹脂などの樹脂材料を射出成型等の成形手段により一体成型して構成される。
【００５１】
本体プレート部１３１ａの下部左面に形成された回転規制具装着部は、次述する回転規制具１３２の上面を支持する上面支持壁と、回転規制具１３２の下面を支持する下面支持壁とを有し、回転規制具１３２を上下の支持壁間に嵌め込んで、接着剤やネジ等の図示省略する固定手段により固定することで、回転規制具１３２を一体的に保持する構成になっている。
【００５２】
回転規制具１３２は、前後の球受け回転体の受圧爪１２２ｔ，１２２ｔの配設範囲よりも広い前後方向幅で、球受け回転体１２２、１２２の回転角度位置の如何に拘わらず受圧爪１２２ｔ，１２２ｔと係合し得る上下方向高さを有し、幾分左上方に位置して対峙する球受け回転体に合わせて左面側がわずかに後傾した台形ブロック状に形成される。回転規制具１３２の左面には、前後方向に延び溝底部に向けて溝幅が狭くなる台形溝状の爪受容溝１３２ｔ，１３２ｔ…が上下に並んで複数列形成されており、受圧爪１２２ｔの先端稜部を爪の高さ位置に応じたいずれかの溝内に受容し、上下のテーパ状の溝面に挟み込んで係合可能になっている。
【００５３】
回転規制具１３２は、例えばポリウレタンやイソプレンゴム等のような耐摩耗性と反発弾性を備えた高分子材料を型締めおよび加硫処理して成型され、必要に応じてネジ固定用のネジブッシュを埋め込んで形成される。回転規制具１３２は、上述した回転規制具装着部の上下の支持壁間に嵌め込んで接着固定等の固定手段により揺動体１３１の下部に一体的に取り付けられる。
【００５４】
本体プレート部１３１ａの右面側に立設されたカムプレート部１３１ｂは、本体プレート部１３１ａの上部から中央部にかけて上下に延びるリブ状をなし、上部には下方に向けて徐々に高さが高くなる係合斜面が形成されている。本体プレート部１３１ａの上端に前後に分割して形成された軸受部１３１ｊは、それぞれ本体プレート部１３１ａと滑らかに繋がる円筒状に形成されており、その軸心には揺動軸１３５の外径よりもわずかに大きめの内径を有して前後連通する軸受孔が形成されている。前後に分割された軸受部の間にはＳ字レール５２に形成された中央支軸部１３３を受容する切り欠き部が形成されている。
【００５５】
回転規制部材１３０は、前後の軸受部１３１ｊでＳ字レール５２の中央支軸部１３３を挟むように同軸上に位置合わせし、軸受部１３１ｊの前方または後方から揺動軸１３５を挿通させて、前後に突出した揺動軸１３５の前後のリング溝にＥリング１３６を嵌着することで、Ｓ字レール５２に一体的に取り付けられ、揺動軸１３５を介して揺動自在に取り付けられる。
【００５６】
Ｓ字レールが取り付けられる右枠杆３３の支持面には、前述した流路切り換え部材５５およびＳ字レール５２を嵌脱自在に支持する支持ボス３５が後方に突出して設けられるとともに、回転体係止軸１２５の前方に位置整合して回転体係止軸１２５の前端部を受容する枠側軸受け穴１２７ａが形成され、揺動軸１３５の前方に位置整合して揺動軸１３５の前端部を受容する枠側軸受けボス１３７ａが形成されている。
【００５７】
一方、Ｓ字レール５２の後方を覆って取り付けられる蓋部材５８には、Ｓ字レール５２と対向する前面側に、回転体係止軸１２５の配設位置と整合して回転体係止軸１２５の後端部を受容する蓋側軸受け穴１２７ｂが形成され、揺動軸１３５の配設位置と整合して揺動軸１３５の後端部を受容する蓋側軸受けボス１３７ｂが形成されている。
【００５８】
また蓋部材５８の後面側には、規制部材駆動機構１４０におけるソレノイド１４１を支持するソレノイド支持部１４５が形成され、その下側に駆動伝達具１４２の係合ピン１４２ｂを挿通させるピン挿通孔１４６、および揺動体の操作摘み１３１ｍを挿通させる摘み挿通孔１４７が形成されている。ソレノイド支持部１４５は、ソレノイド１４１のケース下端角部と係合して左右から挟み込むように位置決め支持する平行壁面状に形成され、このうち左側の支持壁には後端側から固定ネジ１４８を受容するネジ受容スリット１４５ｓ，１４５ｓが形成されている。またピン挿通孔１４６は、係合ピン１４２ｂの軸径よりも大きめの開口幅でソレノイド１４１の駆動ストロークよりも大きめの開口長さを有する長孔状に形成され、摘み挿通孔１４７は操作摘み１３１ｍの揺動軌跡に合わせた円弧状に形成されている。
【００５９】
規制部材駆動機構１４０は、この駆動機構の駆動源でありソレノイド駆動信号がONになったときにプッシュロッドを突出作動させるソレノイド１４１、プッシュロッドの下端部に嵌着された駆動伝達具１４２などから構成される。
【００６０】
ソレノイド１４１は、金属製のケース１４１ａと、ケース内に収められた駆動コイル１４１ｂ、駆動コイルの空芯部に上下にスライド変位可能に支持されたプランジャ１４１ｃ、プランジャ１４１ｃの外周部に装着されたリターンスプリング１４１ｄ、空芯部内でプランジャの下端部に固着されケース１４１ａから下方に突出して上下にスライド変位可能に支持されたプッシュロッド１４１ｅなどからなり、駆動コイル１４１ｂにソレノイド駆動信号を印加したときにプランジャ１４１ｃが吸引されてプッシュロッド１４１ｅが下方に突出作動され、ソレノイド駆動信号をOFFにしたときにリターンスプリング１４１ｄのバネ力によりプランジャ１４１ｃが引き上げられてプッシュロッド１４１ｅが基準位置に戻るスプリングリターン式の直動型電磁ソレノイドである。駆動コイル１４１ｂの信号線は球払出制御装置８２に接続され、ソレノイド１４１は球払出制御装置８２によって作動が制御される。プッシュロッド１４１ｅの先端部には円盤状の軸端フランジ１４１ｆが固着され、ケース１４１ａの側面にはソレノイド１４１を取り付けるためのネジ穴が上下二カ所に形成されている。
【００６１】
駆動伝達具１４２は、軸端ブロック１４２ａと係合ピン１４２ｂとからなり、軸端ブロック１４２ａには、プッシュロッド先端の軸端フランジ１４１ｆを受容して係止する係止スリット１４２ｆが形成されている。係合ピン１４２ｂは滑らかな円柱状のピンであり、プッシュロッドの作動軸と直交方向に延びて設けられている。駆動伝達具１４２は、例えばポリアセタール樹脂やＡＢＳ樹脂などの樹脂材料を用いて射出成型等の成形手段で一体に形成され、あるいは同様の成型方法により形成された軸端ブロック１４２ａにステンレス等の金属製の係合ピン１４２ｂを打ち込んで圧入固着し、または樹脂製の軸端ブロック１４２ａに金属製の係合ピン１４２ｂをインサートモールドする等の手段により一体に形成される。
【００６２】
駆動伝達具１４２は、軸端ブロックの係止スリット１４２ｆに軸端フランジ１４１ｆを係合させて圧入固定することでプッシュロッド１４１ｅの下端部に固定され、駆動伝達具１４２とソレノイド１４１とが一体化される。そしてソレノイド１４１のケース側面のネジ穴に固定ネジ１４８，１４８を緩く螺合させてソレノイド支持部１４５のネジ受容スリット１４５ｓ，１４５ｓに係合させ、ソレノイド１４１を前方にスライドさせて左右の支持壁間に緩挿させる。すると固定ネジ１４８，１４８がネジ受容スリット１４５ｓ，１４５ｓの溝内を前方にスライドするとともに、駆動伝達具１４２の係合ピン１４２ｂがピン挿通孔１４６を通って蓋部材５８の前面側に突出配設される。そしてソレノイド１４１のケース前端面が蓋部材の後面に係合して位置決めされた状態で上下の固定ネジ１４８を締め込むことで規制部材駆動機構１４０が蓋部材５８に取り付けられる。
【００６３】
以上のようにして整流機構１２０および回転規制部材１３０が設けられたＳ字レール５２を右枠杆３３の支持面に装着し、その後方から規制部材駆動機構１４０が取り付けられた蓋部材５８をネジ固定することにより、受圧制御ユニット１００が形成される。
【００６４】
整流機構１２０および回転規制部材１３０が設けられたＳ字レール５２は、Ｓ字レールの上下に形成された円筒状のボス受け部を右枠杆３３の支持面に形成された支持ボス３５に嵌挿して支持させ、Ｓ字レール側から前方に突出する回転体係止軸１２５および揺動軸１３５の前端部を、それぞれ支持面側の枠側軸受け穴１２７ａおよび枠側軸受けボス１３７ａに緩挿することで右枠杆３３の支持面に一体的に装着され、これらの各部材が右枠杆３３の所定位置に位置決めされた状態で支持される。
【００６５】
次いで、その後方から規制部材駆動機構１４０が取り付けられた蓋部材５８を覆い被せ、揺動体の操作摘み１３１ｍを摘み挿通孔１４７を通して後方に導出するとともに、Ｓ字レール側から後方に突出する回転体係止軸１２５および揺動軸１３５の後端部を、それぞれ蓋部材前面側の蓋側軸受け穴１２７ｂおよび蓋側軸受けボス１３７ｂに緩挿することで、蓋部材５８が位置決めされた状態で支持される。
【００６６】
そして蓋部材５８の後方から各支持ボスにネジを螺合締結して締め込むことで、Ｓ字レール５２、整流機構１２０、回転規制部材１３０、および規制部材駆動機構１４０が相互に位置決めされた状態で右枠杆３３に取り付けられ、受圧制御ユニット１００が形成される。そしてソレノイド１４１の信号線を球払出制御装置８２に接続することで受圧制御ユニット１００の作動が球払出制御装置８２によって制御される。
【００６７】
受圧制御ユニット１００の取付状態、すなわちソレノイド駆動信号がOFFの状態では、プランジャ外周部に装着されたリターンスプリング１４１ｄのバネ力によりプッシュロッド１４１ｅがケース内に収容されて、駆動伝達具の軸端ブロック１４２ａがソレノイドのケース１４１ａ下面に当接した基準位置に配設される。また回転規制部材１３０は自らの自重により略鉛直の姿勢で垂下し、カムプレート部１３１ｂが右斜め上方に位置する駆動伝達具の係合ピン１４２ｂと軽く接触して、回転規制具１３２が球受け回転体１２２と離れた状態で配設される。このため、前後の球受け回転体１２２，１２２は回転規制具１３２から規制力を受けることなく各々自由に回転し得る解放状態とされ、待機通路５２ａ，５２ｂを流下する遊技球は、各球受け回転体１２２，１２２をそれぞれ反時計廻りに回転させながら球払出装置５３に向けて流下する。
【００６８】
従って、図３および図５〜図７に示す解放状態Ｐｆでは、上流側に貯留された遊技球から作用する圧力が下流側に停留する遊技球に伝達され、待機通路５２ａ，５２ｂを流下する遊技球は球受け回転体１２２，１２２から規制を受けることなく、各球受け回転体の回転により整流されて待機通路を流下する。球払出制御機構では、遊技球の払い出しが開始される以前においては、球受け回転体の回転を許容する解放状態Ｐｆに設定されている。
【００６９】
一方、球払出制御機構では、遊技球の払い出しが開始されるときに、球払出モータ５３ｍの回転起動に先立って規制部材駆動機構１４０を作動させ、回転規制具１３２が球受け回転体１２２と係合する係合位置に変移させて、球受け回転体１２２，１２２の回転を規制する。以下では、図８に示した球払出制御機構における制御構成のブロック図、および図９に示したソレノイド１４１と球払出モータ５３ｍのタイミングチャートを参照しながら球払出制御機構の動作を中心に説明する。なお図９における(ａ)(ｂ)(ｃ)の各図は遊技盤２０における入賞条件やＣＲ操作パネル９２の球貸要求ボタンによる球貸しなど、払出条件が相違する場合の制御タイミングを例示したものである。
【００７０】
主制御装置８１には、各入賞具の入賞検出センサ２３ｓ，２４ｓ，２５ｓ，２５ｔから検出信号が入力されており、主制御装置８１は各入賞検出センサから入賞検出信号が入力されたときに、当該入賞検出信号から入賞条件を判断し入賞条件に基づいた払出指令信号を球払出制御装置８２に出力する。例えば、入賞検出信号が一般入賞具２３の入賞検出センサ２３ｓまたは始動入賞具２４の入賞検出センサ２４ｓから入力されたときには、主制御装置８１は、これらの入賞具２３，２４に入賞したときの払出数量が少数個（例えば４個あるいは８個）に該当することを内部メモリーに設定記憶されたテーブルから判断し、当該少数個に対応した払出指令信号Ｃ１を球払出制御装置８２に出力する。また入賞検出信号がアタッカー装置２５の入賞検出センサ２５ｓ，２５ｔから入力されたときには、主制御装置８１は大入賞口に入賞したときの払出数量が多数個（例えば１５個）に該当することを同様に判断し、多数個に対応した払出指令信号Ｃ２を球払出制御装置８２に出力する。
【００７１】
球払出制御装置８２には、主制御装置８１から入力される上記払出指令信号Ｃ１，Ｃ２に加えて、ＣＲ操作パネル９２から球貸要求信号Ｃ３が入力されている。球貸しは一般に２５個を単位として行われており、球貸要求信号はこの２５個の払い出しを要求する信号である。
【００７２】
球払出制御装置８２にこれらの信号が入力されると、球払出制御装置８２は、まず球有検出センサ５１の検出信号を参照し、払い出しを行うのに充分な数量の遊技球が待機通路の上部まで貯留待機されているか否かを判断する。そして検出信号が球無し状態であるとき（例えば球有検出センサ５１の接点がオープンのとき）には主制御装置８１に球切れ信号を出力し、主制御装置８１はパチンコ機前面の球切れ表示ランプを点灯させ、またターミナル基板８５を介して遊技施設側の管理装置に球切れ信号を出力するなどのアラームを発生する。
【００７３】
一方、球有検出センサ５１の検出信号が球有り状態であるとき（同様に球有検出センサ５１の接点がクローズのとき）には、受圧制御ユニット１００および球払出装置５３にそれぞれ駆動信号を出力して遊技球の払い出しを行わせる。
【００７４】
ところで、球払出制御装置８２に入力された払出指令信号Ｃ１，Ｃ２および球貸要求信号Ｃ３は、それぞれ異なる個数の払い出しを求める信号である。そこで球払出制御装置８２は入力された払出指令信号等Ｃ１，Ｃ２，Ｃ３から、払い出すべき数量（払出条件）に応じたモータ駆動信号Ｍ１，Ｍ２，Ｍ３を生成し、球払出装置５３の球払出モータ５３ｍに出力する。また球払出制御装置８２は、受圧制御ユニット１００のソレノイド１４１を駆動するソレノイド駆動信号Ｓ１，Ｓ２，Ｓ３を生成し、ソレノイド１４１に出力する。
【００７５】
図９(１)(２)(３)に、それぞれ球払出数量が少数個(１)、多数個(２)、球貸し(３)で、それぞれ複数回連続動作させたとき（複数の払出指令信号等が蓄積されて連続払出状態のとき）のモータ駆動信号Ｍ１，Ｍ２，Ｍ３と、ソレノイド駆動信号Ｓ１，Ｓ２，Ｓ３との関係をタイミングチャートで示すように、ソレノイド駆動信号Ｓ（Ｓ１，Ｓ２，Ｓ３）はモータ駆動信号Ｍ（Ｍ１，Ｍ２，Ｍ３）と同期して、モータ駆動信号Ｍが出力される直前（換言すれば球払出モータ５３ｍの回転起動前）にONになり、モータ駆動信号Ｍが出力されて所定時間経過後（球払出モータ５３ｍの回転起動後）にOFFになるパルス状の駆動信号である。
【００７６】
すなわちソレノイド駆動信号ＳがONされる時点では、球払出モータ５３ｍは未だ回動しておらず、整列通路４２ａ，４２ｂおよび待機通路５２ａ，５２ｂには、遊技球が前後二列に整列されて上流の球貯留タンク４１から下流の球払出装置５３まで密に繋がった状態で停留されている。
【００７７】
ソレノイド駆動信号ＳがONになると、ソレノイド１４１のプランジャ１４１ｃがリターンスプリング１４１ｄのバネ力に抗してケース内に引き込まれ、プッシュロッド１４１ｅが下方に押し出されて駆動伝達具１４２を下動させ、係合ピン１４２ｂがカムプレート部１３１ｂの係合斜面と係合してカムプレート部１３１ｂを左方に押圧する。このため回転規制部材１３０は、揺動体１３１が揺動軸１３５を中心として時計廻りに揺動され、下部の回転規制具１３２が球受け回転体１２２，１２２の外周部に押し付けられて係合する係合位置に変移される。
【００７８】
ここで、回転規制具１３２は、その前後方向幅が前後の球受け回転体の受圧爪１２２ｔの配設範囲よりも広く形成されるとともに、球受け回転体１２２の回転角度位置の如何に拘わらず何れかの受圧爪１２２ｔと係合し得る上下方向高さを有して形成されている。そして回転規制具１３２の左面側には、底部に向けて溝幅が狭くなる台形溝状の爪受容溝１３２ｔが上下に並んで複数列形成されており、受圧爪１２２ｔの先端稜部を上下のテーパ状の溝面で滑らかに係合するとともに、上下の溝面間に挟み込んで確実に係止可能になっている。
【００７９】
このため、ソレノイド１４１のON作動により回転規制具１３２が球受け回転体１２２の外周部に押圧されると、前後各列の受圧爪１２２ｔ，１２２ｔの先端稜部が、その回転角度位置に応じた高さ位置の爪受容溝１３２ｔ，１３２ｔに滑らかに導かれて係合し、上下のテーパ状の溝面間に挟み込まれて係止される。例えば図１０および図１１に異なるタイミングで係止された前後の球受け回転体１２２，１２２の係止状態を例示するように、前後の球受け回転体１２２，１２２は、それぞれの受圧爪１２２ｔ，１２２ｔの回転角度位置に応じた何れかの高さ位置の爪受容溝１３２ｔ，１３２ｔと係合し、その爪受容溝の溝面間に挟み込まれて係止される。
【００８０】
従って、球払出装置５３における球送り回転体５３ｒのインペラ構成により、前列側の待機通路５２ａと後列側の待機通路５２ｂとで遊技球の位置がずれて整列されていても、あるいは通路内に停留された遊技球の整列状態の相違により遊技球の位置が変化したとしても、前後の球受け回転体１２２，１２２をともに確実に係止可能になっている。
【００８１】
このようにして前後の球受け回転体１２２，１２２が当該回転角度位置で回転規制されると、そのとき球受け溝１２２ｕ，１２２ｕに受容されていた遊技球は、当該球受け溝の下流側の受圧爪１２２ｔ，１２２ｔに流下を規制され、上流側に貯留された遊技球から作用する圧力が各列の球受け回転体１２２，１２２に受け止められた状態で係止される。このように、上流側に貯留された遊技球から作用する圧力を球受け回転体１２２が受け止めた状態を受圧状態Ｐｒという。
【００８２】
このとき、ソレノイド１４１には、反力としてケース１４１ａを反時計廻りに回動させる方向にモーメントが作用するが、ソレノイド支持部１４５はケースの左右両面を支持する壁面構成のため、ソレノイド自身が回動されてしまうようなことがない。また、直動型ソレノイドの実動ストロークは、プランジャの移動位置における発生推力と反力とが釣り合う平衡点で規定され、ソレノイド１４１の発生推力と揺動体１３１からの反力とがバランスした状態で保持される。さらに、回転規制具１３２が反発弾性を有する高分子材料で形成されているため、受圧爪１２２ｔを爪受容溝１３２ｔに捕捉して球受け回転体１２２の回転を確実に規制しつつ、押圧力に応じて弾性変形し得るようになっている。
【００８３】
このため、図１０および図１１のいずれの状態でもソレノイド１４１や駆動伝達具１４２、揺動体１３１、回転規制具１３２、球受け回転体１２２等に無理な負荷を作用させることなく、遊技球が受圧爪１２２ｔ，１２２ｔに受け止められた状態で弾性的に係止保持される。また揺動体１３１の回転規制具装着部に回転規制具１３２の上面を支持する上面支持壁が形成されているため、受圧爪１２２ｔから上向きに作用する力を受け止めて、回転規制具が脱落したり変形したりしないようになっている。
【００８４】
回転規制部材１３０が係合位置にある受圧状態Ｐｒでは、球受け回転体１２２，１２２よりも下流側に位置する遊技球に作用する圧力が大幅に軽減され、球払出モータ５３ｍには、このように圧力が軽減された状態、より具体的には受圧爪１２２ｔ，１２２ｔと球送り回転体５３ｒとの間に位置する１５球程度の重量に軽減された状態で、球払出制御装置８２からモータ駆動信号Ｍ（Ｍ１，Ｍ２，Ｍ３）が出力される。
【００８５】
モータ駆動信号Ｍ１，Ｍ２，Ｍ３は、払い出し数量に相当する回転角度分、球送り回転体５３ｒを時計回りまたは反時計回りに回動させる信号であり、例えば少数個の払出指令信号Ｃ１が４個の場合には球払出モータを２４０度、８個の場合には４８０度、時計回りに回動させるモータ駆動信号Ｍ１を出力して球送り回転体５３ｒを回動させ、右側の払出口５３ｄから球払出通路６０に払い出す。多数個の払出信号の場合も同様であり、１５個の払出指令信号Ｃ２に対して球払出モータを９００度（２．５回転）時計回りに回動させるモータ駆動信号Ｍ２を出力して球送り回転体５３ｒを回動させ、右側の払出口５３ｄから球払出通路６０に払い出す。また球貸要求信号Ｃ３（２５個）の場合には、球払出モータを１５００度（４回転と６０度）反時計回りに回動させるモータ駆動信号Ｍ３を出力して球送り回転体５３ｒを回動させ、左側の払出口５３ｃから球払出通路６０に払い出す。
【００８６】
モータ駆動信号Ｍが出力されて所定時間（例えば５０〜２００ms程度の時間）が経過すると、球払出制御装置８２はソレノイド駆動信号ＳをOFFにする。ソレノイド駆動信号がOFFになると、リターンスプリング１４１ｄのバネ力によりプッシュロッド１４１ｅが引き込まれて駆動伝達具１４２が基準位置に戻り、係合ピン１４２ｂの上動に伴ってテーパ状の溝構成により係合離脱方向に力を受ける揺動体１３１が反時計廻りに揺動し、回転規制具１３２と球受け回転体１２２，１２２との係合（各爪受容溝１３２ｔと受圧爪１２２ｔとの係合）が解除される。
【００８７】
これにより、前後の球受け回転体１２２，１２２は回転規制が解除されて初期の解放状態Ｐｆに戻り、それまで受圧爪１２２ｔ，１２２ｔに押しとどめられていた遊技球が球受け回転体１２２，１２２を回転させながら待機通路５２ａ，５２ｂを流下する。そして球送り回転体５３ｒの回転起動に伴って待機通路５２ａ，５２ｂを先に下動する遊技球に追いつき滑らかに払い出される。なお球受け回転体１２２の配設位置は、球受け回転体１２２よりも下流側に、入賞条件に応じて払い出される数量（本実施例では多数個の払出数量に相当する１５球程度）を停留可能に構成されており、とぎれることなく滑らかに払い出されるようになっている。
【００８８】
こうして球払出口５３ｃ，５３ｄから払い出された遊技球は、左右の球計数センサ５４，５４により通過が検出され、球払出制御装置８２は球計数センサ５４から入力された検出信号から払い出された遊技球の実数をカウントしてモータ駆動信号Ｍに係る目標数量と比較し、球払出モータ５３ｍの作動を制御する。これにより、遊技盤２０における入賞条件やＣＲ操作パネル９２から入力される球貸要求等の払出条件に応じた数量の遊技球が球払出通路６０に払い出され、球払出通路６０を転動流下して上球皿６または下球皿７に払い出される。
【００８９】
遊技球の払い出し作動は、払出指令信号Ｃが複数蓄積されている場合、例えば払出指令信号Ｃ２がｎ個蓄積されている場合でも、各払出指令信号Ｃ２に対応して１作動ずつｎ回繰り返して行われ、ソレノイド駆動信号Ｓ２はモータ駆動信号Ｍ２の出力ごとに、モータ駆動信号Ｍ２の立ち上がりに先立って出力される。
【００９０】
このため、球払出装置５３にとって最も大きな回転トルクが必要とされる球払出モータ５３ｍの回転起動時に、球受け回転体１２２，１２２が上流側の遊技球の圧力を受けて球払出モータ５３ｍに対する負荷を大幅に軽減し、これにより、小型のモータを用いた球払出装置でも適正な払出作動を確保することができる。また球払出モータ５３ｍのみならず、球送り回転体５３ｒや受容口５３ａ，５３ｂ等に対する負荷をも軽減できるため、小型の球払出装置を用いても長期間安定して作動させることができる。
【００９１】
また、前後の待機通路に遊技球の圧力により回転する球受け回転体１２２，１２２からなる整流機構１２０を設け、球受け回転体１２２，１２２の回転を回転規制部材１３０および規制部材駆動機構１４０で解放状態Ｐｆと受圧状態Ｐｒとに変移させる構成のため、解放状態において遊技球の引っかかりや噛み込み等による球詰まりが発生しにくく、かつ球受け回転体１２２，１２２の整流機能により円滑な流れを確保した球払出制御機構を提供することができる。
【００９２】
さらに、前後の待機通路５２ａ，５２ｂの形成主体であるＳ字レール５２に球受け回転体１２２，１２２の回転軸（枢支軸）１２３が形成されているため、待機通路に対して高い位置精度で球受け回転体１２２，１２２を配設することができ安定した整流機能を確保できるとともに、整流機構１２０と回転規制部材１３０とがＳ字レール５２に設けられた状態で右枠杆３３に一体的に取り付けられる構成のため、細かな部品の組み付け作業を大型の裏セット盤に直接組み付けることなく別途部分組立したうえで組み付けることができ、組み付け作業の容易化および効率化を図ることができる。
【００９３】
なお、裏セット盤３０の背面側における視認可能な位置、例えば球払出装置５３の側部やソレノイド近傍の右枠杆部に、裏セット盤３０の背面側から視認可能にLED等の発光素子１０５を設けるとともに、球払出制御装置８２から発光素子１０５を点滅させる発光制御信号をソレノイド駆動信号Ｓと同時に出力させ、ソレノイド１４１の駆動時に発光素子を点灯させるように構成することも好ましい。このような構成によればソレノイド１４１の駆動時、すなわち受圧状態Ｐｒになったときに発光素子１０５が点灯され、受圧制御ユニット１００の作動状況を裏セット盤３０の背面側から容易に目視確認することができる。
【００９４】
以上では、球払出制御装置８２に入力される払出指令信号等Ｃが、少数個または多数個の球払出指令信号Ｃ１，Ｃ２であるか球貸し要求信号Ｃ３であるかによらず、球払出装置５３の作動時全てについて受圧制御ユニットの作動を制御する制御形態を例示したが、入力される信号の種別に応じて作動状態を変化させ、あるいは払い出される遊技球の数量や払い出しの連続状況等に応じて、作動状態を適宜変更して構成すること（例えば、少数個の払出指令信号Ｃ１が複数蓄積されているような場合には、最初の払出作動時のみ受圧制御ユニットを作動させるように構成すること等）も可能である。
【００９５】
球払出制御機構には、以上説明した球払出モータ５３ｍの回転起動時の負荷を軽減させる圧力制御機能に加えて、遊技球の流下を人為的に止める球止め機能が具備されている。この機能は、球止め構造１５０により実現され、例えば球払出装置５３の点検作業や交換作業などのように、球貯留タンク４１に貯留された遊技球を全量球抜きする必要がなく、かつ上部球抜き機構では抜ききれない待機通路内の遊技球を球抜きするときに利用される。
【００９６】
球止め構造１５０は、揺動体１３１に形成された操作摘み１３１ｍを主体として構成され、受圧ユニット１００を球止め状態に保持させるときには、揺動体１３１に形成されたキー係合片１３１ｋ、右枠杆３３の支持面に形成された枠側キー支持孔１５７ａ、蓋部材５８に形成された蓋側キー支持孔１５７ｂ、およびハートキー１５５が利用される。ハートキー１５５は、線径1.5〜2mm、長さ80〜100mm程度の金属製のピンであり、前述した球抜き操作等を行うために遊技施設の係員が施錠装置４の鍵とともに常時携行する作業用の操作ピンである。
【００９７】
前述したように、揺動体１３１には本体プレート部１３１ａから後方に突出して操作摘み１３１ｍが形成される一方、蓋部材５８には操作摘み１３１ｍの揺動軌跡に合わせた円弧状の摘み挿通孔１４７が開口形成されており、操作摘み１３１ｍが蓋部材５８の後面側に突出した状態で配設されている。
【００９８】
このため、操作摘み１３１ｍに指を掛けて左方に押圧操作することで、回転規制部材１３０を時計廻りに揺動させて、回転規制具の爪受容溝１３２ｔを球受け回転体の受圧爪１２２ｔ，１２２ｔに係合させることができ、前後の球受け回転体１２２，１２２の回動を規制して遊技球の流下を規制する球止め状態Ｐｓを人為的に創出することができる。これにより、球受け回転体よりも上流側に停留された遊技球は、回転規制された球受け回転体の受圧爪１２２ｔ，１２２ｔに堰き止められ下流側への流下が規制される。
【００９９】
また枠側キー支持孔１５７ａおよび蓋側キー支持孔１５７ｂは、球受け回転体１２２の右斜め上方に位置してハートキー１５５を挿通可能に形成され、揺動体１３１との関係では、上記のように回転規制部材１３０を時計廻りに揺動して球止め状態にしたときに、揺動体のキー係合片１３１ｋの右側に位置して同一軸上に並ぶように形成される。
【０１００】
このため、球受け回転体の受圧爪１２２ｔと回転規制具の爪受容溝１３２ｔとを係合させた球止め状態Ｐｓで操作摘み１３１ｍを支え、ハートキー１５５を蓋側キー支持孔１５７ｂに挿入して先端部を枠側キー支持孔１５７ａに緩挿支持させると、ハートキー１５５がキー係合片１３１ｋの右側に位置して配設される。そこで操作摘み１３１ｍの支えを緩めると、回転規制具１３２の弾性で揺動体１３１がわずかに揺動し、キー係合片１３１ｋの右側面がハートキー１５５と係合して、回転規制部材１３０が球止め状態Ｐｓに保持される（図１２を参照）。
【０１０１】
この球止め状態Ｐｓでは、受圧爪１２２ｔと爪受容溝１３２ｔとの弾性係合によりその反力が揺動体１３１を反時計廻りに揺動させる方向に作用している。このため、ハートキー１５５はキー係合片１３１ｋとの係合部が右方に押圧された状態で前後のキー支持溝１５７ａ，１５７ｂに支持されており、このため、例えば裏セット盤３０が揺らされたり、上流側に貯留された遊技球から作用する圧力が変動したりしても、ハートキー１５５が外れて回転規制部材１３０が解放状態Ｐｆに戻ってしまうようなことがない。
【０１０２】
そこで、遊技施設の係員は、一般入賞具２３や始動入賞具２４に遊技球を落入させ、あるいはアタッカー装置２５の開閉扉を開かせて大入賞口に遊技球を投入し、またはＣＲ操作パネル９２の球貸要求ボタンを押圧操作するなどにより、球払出装置５３を作動させて遊技球を払い出させることで、受圧爪１２２ｔと球送り回転体５３ｒとの間に停留する遊技球を短時間で全量球抜きすることができ、球払出装置５３内の遊技球を完全に排出させた状態で、球払出装置５３の点検作業や交換作業などを容易に行うことができる。
【０１０３】
球払出装置５３の点検作業等を終えた後、球止め状態Ｐｓを解除するには、操作摘み１３１ｍを軽く支えてハートキー１５５を後方に抜去し、支えていた操作摘み１３１ｍを緩やかに放せばよい。すると回転規制部材１３０が反時計廻りに揺動して受圧突起１２２ｔと爪受容溝１３２ｔの係合が解除され、球受け回転体１２２，１２２の回転規制が解除されて初期の解放状態Ｐｆに復帰する。
【０１０４】
従って、以上説明したような球払出制御機構によれば、小型のモータを用いた球払出装置でも適正な払出作動を確保することができるため、装置の小型化および低廉化を実現でき、また負荷を軽減することで長期間安定して作動させ得る払出制御機構を提供することができる。また、揺動体を受圧状態の揺動角度位置に変位させて係止させる簡明な装置構成で、保守作業性の良好な払出制御機構を提供することができる。
【０１０５】
なお、以上では回転規部材１３０の駆動源としてプッシュ型の直動ソレノイド１４１を蓋部材５８の後面側に設け、プッシュロッド１４１ｅの先端に嵌着固定した駆動伝達具１４２を介して回転規制部材１３０を揺動させ、回転規制具１３２を球受け回転体１２２に係合させて球受け回転体１２２の回動を規制する構成例を示したが、駆動源は吸引型の直動ソレノイドやロータリーソレノイドを用いてもよく、回転規制具を直接または間接的にスライドないし揺動させて球受け回転体の回動を規制するものであってもよい。また上記駆動源は蓋部材５８の後面側のみならず、右枠杆３３の支持面やその前面側に設ける構成であってもよい。
【０１０６】
図１３は、上述した受圧制御ユニット１００における整流機構１２０の他の構成形態を示す側面図（図６に相当する側面図）である。この整流機構１２０′の球受け回転体１２２′は、前述した球受け回転体１２２と同様に、回転盤の外周部に円弧状の球受け溝１２２ｕと山形の受圧爪１２２ｔとが交互に形成された爪車形態をなし、前後同一形状の球受け回転体１２２′，１２２′が前後の待機通路５２ａ，５２ｂに対応して用いられる。一方、球受け回転体１２２′のボス部には回転体係止軸１２５よりもわずかに大きめの内径で軸孔が前後貫通して形成されている。また、Ｓ字レールの仕切壁５２ｗには、枢支軸１２３に換えて、上下に弾性変位可能な挟持アーム部１２８，１２８が形成され、回転体係止軸１２５を軸直交方向に着脱可能におよび装着状態で軸支可能に構成されている。
【０１０７】
このため、前後の球受け回転体１２２′，１２２′を回転体係止軸１２５に嵌挿して前後のリング溝にＥリング１２６を嵌着し、こうして２個の球受け回転体が枢支された回転体係止軸１２５の中央部を上下の挟持アーム部１２８，１２８に係合させて軸直交方向に押圧することで、回転体係止軸１２５が挟持アーム部１２８，１２８に弾性的に仮止め支持され、前後の球受け回転体１２２′，１２２′が各々回転自在にＳ字レール５２に枢着されて整流機構１２０′が形成される。このような構成によれば、上述した球払出制御機構と同様の効果が得られることに加えて、球受け回転体１２２′，１２２′の着脱交換が容易な球払出装置を構成することができ、またＳ字レールや整流機構の部材構成を簡明化することができる。
【０１０８】
次に、整流機構のさらに他の構成形態について、図１４〜図１８の各図を参照して説明する。この整流機構２２０は、前述した整流機構における前後の球受け回転体の組み付け、および整流機構を含む受圧制御ユニットの組立作業性をさらに改善した形態の球払出制御機構に関するものである。なお、図１４は整流機構２２０の背面図、図１５は整流機構２２０を分解状態で示す各部の背面図、図１６は図１４中のXVI矢視方向の側面図、図１７は図１４中のXVII−XVII方向の側断面図、図１８は球受け回転体の組み付け状況を説明する側断面図（図１７と同様位置での側断面図）である。なお回転規制部材１３０や規制部材駆動機構１４０など球払出制御機構の他の構成部分については前述した内容と同様に構成できるためここでは説明を省略し、またＳ字レールについても同様部分ついては同一番号を付して重複説明を省略する。
【０１０９】
整流機構２２０は、その構成を大別すると、前後の待機通路５２ａ，５２ｂに対応して設けられた前後の球受け回転体２２２，２２２と、Ｓ字レール５２に形成されてこれらの球受け回転体２２２，２２２の回転軸をなす枢支軸２２３を主体として構成され、球受け回転体２２２のボス部を枢支軸２２３に嵌着したときに、球受け回転体２２２が枢支軸２２３の軸廻りに回転可能に支持されるとともに、軸直交方向に移動して脱落しないように仮止めされる構成になっている。
【０１１０】
球受け回転体２２２は、前述した球受け回転体１２２と同様に、回転盤の外周部に円弧状の球受け溝１２２ｕが所定角度ピッチで複数形成され、隣接する球受け溝１２２ｕ，１２２ｕの間に外周方向に突出する山形の受圧爪１２２ｔが形成された爪車形態をなし、原則的には、同一形状の球受け回転体が前後二列の待機通路５２ａ，５２ｂに対応して２個用いられる。球受け回転体２２２の中心部には回転盤から前後に突出する円筒状のボス部２２２ｂが形成されており、その中心に枢支軸２２３の軸部外径よりもわずかに大きめの内径を有する軸孔２２２ｃが前後貫通して形成されている。球受け回転体２２２は、前述した球受け回転体１２２と同様の樹脂材料を用い同様の成形手段により各一体に形成される。
【０１１１】
一方、Ｓ字レール５２には、仕切壁５２ｗから前後に突出して枢支軸２２３が形成され、この枢支軸２２３を取り囲む右通路壁５２Ｒに、前後の受圧爪１２２ｔ，１２２ｔを待機通路５２ａ，５２ｂに臨ませる受圧爪挿通部１２４ａ，１２４ｂが形成されている。
【０１１２】
枢支軸２２３は、球受け回転体２２２のボス部に形成された軸孔２２２ｃと外周面で嵌脱自在に係合して支持する中空円筒状をなし、仕切壁５２ｗから前方および後方に突出する突出高さは、球受け回転体のボス部２２２ｂの厚さと略同一寸法に形成される。枢支軸２２３の内周側には、この枢支軸の形成位置と整合して右枠杆３３の支持面に形成された蓋部材係止軸２２５を前後に挿通させる係止軸挿通孔２２３ｃが形成されている。係止軸挿通孔２２３ｃの内径は蓋部材係止軸２２５の外径よりも幾分大きめに形成されている。
【０１１３】
また、枢支軸２２３の上部および下部に、球受け回転体２２２を回転自在に支持しつつ軸直交の脱落方向への移動を規制する係止爪２２３ｓ，２２３ｓが形成されている。係止爪２２３ｓは、枢支軸２２３の円筒部が左右切り離されて前後に延びるレバー状をなし、その先端に先細テーパで外向きに突出する爪部が形成されるとともに、レバー部の内周側の肉厚が円筒部よりも薄く成型されて、上下方向に容易に弾性変形し得るように構成されている。
【０１１４】
一方、球受け回転体の軸孔２２２ｃの端部周縁には、一方の端部側に係止爪２２３ｓの爪部先端側のテーパ面と係合して案内する受容案内面が面取り形成されるとともに、他方の端部側には係止爪２２３ｃの爪部を受容して爪部基端側の鉛直面と係合する爪受容溝２２２ｓが爪形状に合わせて円環状に形成されている。
【０１１５】
このため、図１８の(ａ)図および(ｂ)図に球受け回転体２２０の装着状況を示すように、枢支軸２２３の先端部に球受け回転体の軸孔２２２ｃを係合させて（(ａ)図）、仕切壁５２ｗの方向に押圧すると、爪部先端側のテーパ面と軸孔端部の受容案内面との係合案内作用により係止爪２２３ｓのレバー部が内周方向に弾性変形して軸孔２２２ｃの嵌入を許容し（(ｂ)図）、爪部の鉛直面が爪受容溝２２２ｓに到達するとレバー部に蓄えられた弾性力により係止爪２２３ｓが拡開変位して、爪部が爪受容溝２２２ｓ内に突出した状態で係合する（図１４および図１７を参照）。
【０１１６】
上記のように球受け回転体２２２が枢支軸２２３に嵌着されると、球受け回転体２２２は枢支軸２２３の軸廻りに回転自在に支持されるとともに、係止爪２２３ｓの鉛直面と係止溝２２２ｓの鉛直面との係合により、球受け回転体２２２が軸直交方向に移動して脱落しないように仮止めされる。
【０１１７】
そこで、前後の球受け回転体２２２，２２２が枢支軸２２３に仮止めされた（および前述した回転規制部材１３０が組み付けられた）Ｓ字レール５２を右枠体３３の支持面に取り付ける。Ｓ字レール５２の取り付けは、右枠杆３３の支持面に突出成型された蓋部材係止軸２２５に係止軸挿通孔２２３ｃを緩挿し、また前述したＳ字レール５２のボス受け部を右枠杆の支持ボスに緩挿することで、右枠杆３３の支持面に一体的に装着され、各部材が右枠杆３３の所定位置に位置決めされた状態で支持される。
【０１１８】
そして後方から規制部材駆動機構１４０が取り付けられた蓋部材５８を覆い被せ、蓋部材５８の後方から蓋部材係止軸２２５および各支持ボスにネジ２２８を螺合締結して締め込むことで、Ｓ字レール５２、整流機構２２０、回転規制部材１３０、および規制部材駆動機構１４０が相互に位置決めされた状態で右枠杆３３に取り付けられる。
【０１１９】
従って、以上説明した整流機構２２０によれば、前後の待機通路５２ａ，５２ｂの形成主体であるＳ字レール５２に球受け回転体２２２，２２２の回転軸（枢支軸）２２３が形成されているため、待機通路に対して高い位置精度で球受け回転体２２２，２２２を配設することができ安定した整流機能を確保できるとともに、前後の球受け回転体を極めて簡単に取り付けることができ、組み付け作業の容易化および効率化を図ることができる。またメンテナンス等で蓋部材５８を取り外した場合でも、上下の係止爪２２３ｓ，２２３ｓにより仮止めされた球受け回転体２２２が脱落してしまうようなことがなく、メンテナンスの作業性をも向上させた整流機構を提供することができる。
【０１２０】
さらに、本構成の整流機構２２０では、枢支軸２２３の内周側に蓋部材係止軸２２５を挿通させる係止軸挿通孔２２３ｃが形成されており、係止軸挿通孔２２３ｃを蓋部材係止軸２２５に係合させて取り付けることにより、球受け回転体が仮止めされたＳ字レール５２が一体的に位置決めされて右枠杆３３に取り付けられる。従って、作業性が良好であり、かつ待機通路および球受け回転体がベースである右枠杆３３や蓋部材５８（さらには回転規制部材１３０、規制部材駆動機構１４０）とも高い相対位置精度をもって配設されるため、より安定した球流れを確保した整流機構および球払出制御機構を提供することができる。
【０１２１】
なお、以上説明した構成例では、整流機構１２０，１２０′，２２０を裏セット盤３０における待機通路５２ａ，５２ｂに設けた例を示したが、整流機構の配設位置は待機通路に限るものではなく、例えば貯留球を整列待機させる整列通路４２ａ，４２ｂや、入賞球を整列待機させる入賞球整列通路などの他の球通路であってもよい。
【図面の簡単な説明】
【０１２２】
【図１】本発明を適用した弾球遊技機の一例として示すパチンコ機の正面図である。
【図２】上記パチンコ機の背面図である。
【図３】上記パチンコ機における球払出制御機構を含む裏セット盤の右枠杆部分の背面図である。
【図４】上記球払出制御機構における受圧制御ユニットを右斜め後方から見た分解斜視図である。
【図５】図３中のV−V矢視方向の平断面図である。
【図６】図３中のVI〜矢視方向の側断面図である。
【図７】図３中のVII〜矢視方向の側断面図である。
【図８】球払出制御機構の制御形態を主として示すブロック図である。
【図９】球払出制御機構におけるソレノイドと球払出モータの駆動タイミングを示すタイミングチャートである。
【図１０】受圧状態における遊技球の係止状況を示す背面図である。
【図１１】受圧状態における遊技球の他の係止状況を示す背面図である。
【図１２】球受け回転体を球止め状態にしたときの上記受圧制御ユニットの背面図である。
【図１３】第２構成形態の整流機構の側面図である。
【図１４】第３構成形態の整流機構の背面図である。
【図１５】第３構成形態の整流機構を分解状態で示す各部の背面図である。
【図１６】図１４中のXVI矢視方向の側面図である。
【図１７】図１４中のXVII−XVII矢視方向の側断面図である。
【図１８】球受け回転体の組み付け状況を説明する側断面図である。
【図１９】従来の球払出制御機構における球払出装置の概要構成および払い出しの作用を示す背面図である。
【符号の説明】
【０１２３】
ＰＡ  遊技領域
ＰＭ  パチンコ機
Ｐｆ  解放状態
Ｐｒ  受圧状態
Ｐｓ  球止め状態
Ｃ１，Ｃ２  払出指令信号
Ｃ３  球貸要求信号
Ｍ１，Ｍ２，Ｍ３  モータ駆動信号
Ｓ１，Ｓ２，Ｓ３  ソレノイド駆動信号
１  外枠
２  前枠
３  ヒンジ機構
４  施錠装置
５  ガラス扉（５ｈ  球抜き操作孔）
６  上球皿
７  下球皿
８  発射ハンドル
９  遊技球発射装置
２０  遊技盤
２１  化粧板
２２  案内レール
２３  一般入賞具（２３ｓ  入賞検出センサ）
２４  始動入賞具（２４ｓ  入賞検出センサ）
２５  アタッカー装置（２５ｓ，２５ｔ  入賞検出センサ）
２７  図柄表示装置
２８  アウト口
２９  球寄せカバー
３０  裏セット盤
３１  基枠体
３２  窓口
３３  右枠杆
３５  支持ボス
４１  球貯留タンク
４２  タンクレール
（４２ａ  前列側の整列通路、４２ｂ  後列側の整列通路）
４４  球均し具
４５  球止め部材
５１  球有検出センサ
５２  Ｓ字レール
（５２ａ  前列側の待機通路、５２ｂ  後列側の待機通路、５２ｗ  仕切壁、
５２Ｒ  右側の通路壁、  ５２Ｌ  左側の通路壁）
５３  球払出装置
（５３ａ  前列側の受容口、５３ｂ  後列側の受容口、５３ｃ  左側の払出口、
５３ｄ  右側の払出口、５３ｍ  球払出モータ、５３ｒ  球送り回転体、
５３ｒ１  前列側のインペラ、５３ｒ２  後列側のインペラ）
５４  球計数センサ
５５  流路切り替え部材（５５ａ  通路壁）
５６  操作部材
５７  球抜き通路
（５７ａ  予備通路、５７ｂ  連絡開口、５７ｃ  下降通路、５７ｄ  前カバー）
５８  蓋部材
６０  球払出通路
８１  主制御装置
８２  球払出制御装置
８３  ランプ・音声制御装置
８４  電源ユニット
８５  ターミナル基板
８７  図柄表示制御装置
９０  プリペイドカードユニット
９２  ＣＲ操作パネル
１００  受圧制御ユニット
１０５  発光素子
１２０  整流機構（第１構成形態）
１２０′  整流機構（第２構成形態）
１２２  球受け回転体（第１構成形態）
１２２′  球受け回転体（第２構成形態）
（１２２ｔ  受圧爪、１２２ｕ  球受け溝）
１２３  枢支軸
１２４ａ  前列側の受圧爪挿通部
１２４ｂ  後列側の受圧爪挿通部
１２５  回転体係止軸
１２６  Ｅリング
１２７ａ  枠側ネジ受容部
１２７ｂ  蓋側ネジ受容部
１２８  挟持アーム部
１３０  回転規制部材
１３１  揺動体
（１３１ａ  本体プレート部、１３１ｂ  カムプレート部、１３１ｊ  軸受部、
１３１ｋ  キー係合片、１３１ｍ  操作摘み）
１３２  回転規制具（１３２ｔ  爪受容溝）
１３３  中央支軸部
１３５  揺動軸
１３６  Ｅリング
１３７ａ  枠側支軸部
１３７ｂ  蓋側支軸部
１４０  規制部材駆動機構
１４１  ソレノイド
（１４１ａ  ケース、１４１ｂ  駆動コイル、１４１ｃ  プランジャ、
１４１ｄ  リターンスプリング、１４１ｅ  プッシュロッド、１４１ｆ  軸端フランジ）
１４２  駆動伝達具
（１４２ａ  軸端ブロック、１４２ｂ  係合ピン、１４２ｆ  係止スリット）
１４５  ソレノイド支持部（１４５ｓ  ネジ受容スリット）
１４６  ピン挿通孔
１４７  摘み挿通孔
１４８  固定ネジ
１５０  球止め構造
１５５  ハートキー
１５７ａ  枠側キー支持孔
１５７ｂ  蓋側側キー支持孔
２２０  整流機構（第３構成形態）
２２２  球受け回転体
（２２２ｂ  ボス部、２２２ｃ  軸孔、２２２ｓ  爪受容溝）
２２３  枢支軸
（２２３ｃ  係止軸挿通孔、２２３ｓ  係止爪）
２２５  蓋部材係止軸
２２８  ネジ
【図１】
2005168616.tif 000003
【図２】
2005168616.tif 000004
【図３】
2005168616.tif 000005
【図４】
2005168616.tif 000006
【図５】
2005168616.tif 000007
【図６】
2005168616.tif 000008
【図７】
2005168616.tif 000009
【図８】
2005168616.tif 000010
【図９】
2005168616.tif 000011
【図１０】
2005168616.tif 000012
【図１１】
2005168616.tif 000013
【図１２】
2005168616.tif 000014
【図１３】
2005168616.tif 000015
【図１４】
2005168616.tif 000016
【図１５】
2005168616.tif 000017
【図１６】
2005168616.tif 000018
【図１７】
2005168616.tif 000019
【図１８】
2005168616.tif 000020
【図１９】
2005168616.tif 000021